(57)【特許請求の範囲】
【請求項１】
再生水生成装置からの再生水を受け取る貯留タンクと、
前記再生水生成装置と前記貯留タンクとを連通する流路中に設置された透過濃度検出器と、
前記透過濃度検出器からの測定値に基づき前記再生水の水質レベルを算出し、前記水質レベルに応じて前記再生水生成装置を停止する制御装置と、
前記貯留タンクから前記再生水を送り出す送水ポンプと、
前記貯留タンクに水道水を供給するための流路と、
水垢防止剤を含む薬剤タンクと、を備え、
前記制御装置は、
（１）前記貯留タンクに前記再生水生成装置から前記再生水が供給されるとき、前記薬剤タンク内の前記水垢防止剤を前記再生水生成装置に供給し、
（２）前記貯留タンクに水道水が供給されたとき、前記薬剤タンク内の前記水垢防止剤を前記貯留タンクに供給する、
再生水利用装置。
【請求項２】
前記制御装置は、前記透過濃度検出器からの測定値と前記再生水の水質レベルとを予め関連付けた参照テーブルを利用することで前記水質レベルを算出する請求項１に記載の再生水利用装置。
【請求項３】
前記貯留タンクと連通する追加の貯留タンクをさらに備える請求項１又は２に記載の再生水利用装置。
【請求項４】
請求項１から３のいずれか１項に記載の再生水利用装置と、
前記再生水利用装置の上流に配置された前記再生水生成装置と、を備え、
前記再生水生成装置は、減圧下で廃液を濃縮物と水蒸気とに分離する減圧蒸留器と、前記水蒸気を凝縮させて再生水とする冷却器と、前記再生水を蓄えるタンクと、
を備える廃液処理システム。
【請求項５】
減圧下で廃液を濃縮物と水蒸気に分離する減圧蒸留器と、
前記水蒸気を凝縮させて再生水とする冷却器と、
前記再生水を蓄えるタンクと、
前記タンクと再生水利用装置とを連通する流路中に設置された透過濃度検出器と、
前記透過濃度検出器からの測定値に基づき前記再生水の水質レベルを算出し、前記水質レベルに応じて、前記再生水の生成と、前記再生水利用装置への送液とを停止する制御装置と、
を備える再生水生成装置。
【請求項６】
前記制御装置は、前記透過濃度検出器からの測定値と前記再生水の水質レベルとを予め関連付けた参照テーブルを利用することで前記水質レベルを算出する請求項５記載の再生水生成装置。
【請求項７】
請求項５又は６に記載の再生水生成装置と、
前記再生水生成装置の下流に配置された前記再生水利用装置と、を備え、
前記再生水利用装置は、再生水を貯留する貯留タンクと、前記貯留タンクから前記再生水を送り出す送水ポンプと、を備える廃液処理システム。
【請求項８】
再生水生成装置からの再生水を受け取る貯留タンクと、
前記再生水生成装置と前記貯留タンクとを連通する流路中に設置された透過濃度検出器と、
前記透過濃度検出器からの測定値に基づき前記再生水の水質レベルを算出し、前記水質レベルに応じて前記再生水生成装置を停止する制御装置と、
前記貯留タンクから前記再生水を送り出す送水ポンプと、を備える再生水利用装置と、  前記再生水利用装置の上流に配置された前記再生水生成装置と、を備え、
前記再生水生成装置は、減圧下で廃液を濃縮物と水蒸気とに分離する減圧蒸留器と、前記水蒸気を凝縮させて再生水とする冷却器と、前記再生水を蓄えるタンクと、
を備える廃液処理システム。
【発明の詳細な説明】
【技術分野】
【０００１】
本発明は、再生水利用装置、再生水生成装置、及び廃液処理システムに関する。
【背景技術】
【０００２】
一般に、製造プロセスでは、各種の処理を行うため、多くの種類の処理液が使用される。これらの処理液は一定時間使用されると、処理液の処理性能が劣化する。最終的には、処理性能の劣化した処理液は廃液として排出される。【０００３】
近年、上記のような廃液について、廃液の排出量を削減すること、及び廃液の処理過程で生じる水を再利用することが検討されている。【０００４】
例えば、特許文献1は、平版印刷版の自動現像装置から排出される廃液を処理する廃液削減装置を開示する。この廃液削減装置の下流に、廃液削減装置からの再生水（蒸留水）を受け入れる再利用システムが設置される。再利用システムは自動現像装置からの要求に応じて、再生水を自動現像装置に送液する。
【先行技術文献】
【特許文献】
【０００５】
【特許文献１】日本国特許第４７７４１２４号公報
【発明の概要】
【発明が解決しようとする課題】
【０００６】
特許文献１では、廃液削減装置により廃液から再生水が生成され、再利用システムに再生水が送液される。再生水は、基本的に蒸留水であるので透明である。しかしながら、廃液を廃液削減装置で処理する際、廃液の一部が再生水中に混入することがあり、再生水が着色される。そのため、再利用システムには着色した再生水が送液される。【０００７】
このとき、着色した再生水を再利用システムから自動現像装置に送液しても問題ないかの判断基準がなかった。そのため、着色した再生水が、自動現像装置で使用できるにも拘わらず、廃棄処分される場合があった。廃棄処分にあたり、地域によって、水質レベルによって、水質汚濁防止法や条例により下水道へ排水ができない場合がある。着色した再生水に対して、その判断基準が明確ではなかった。さらに、再生水を下水道へ排水ができない場合、再生水をできるだけ排出せずに系内で再使用することも求められている。【０００８】
本発明はこのような事情に鑑みてなされたもので、再生水を可能な限り再利用することができる、再生水利用装置、再生水生成装置、及び廃液処理システムを提供することを目的とする。
【課題を解決するための手段】
【０００９】
本発明の一態様に係る再生水利用装置は、再生水生成装置からの再生水を受け取る貯留タンクと、前記再生水生成装置と前記貯留タンクとを連通する流路中に設置された透過濃度検出器と、前記透過濃度検出器からの測定値に基づき前記再生水の水質レベルを算出し、前記水質レベルに応じて前記再生水生成装置を停止する制御装置と、前記貯留タンクから前記再生水を送り出す送水ポンプと、を備える。【００１０】
本態様によれば、再生水の水質レベルを算出するので、再生水の再利用が可能か、下水道へ排出可能か、が判断できる。さらに、再利用することも下水道へ排出することもできない程度まで再生水の水質レベルが低下したと判断したとき、再生水を再生水生成装置に返送することができる。また、水質レベルの低い再生水を廃液として処理し、水質レベルの高い再生水として利用することもできる。【００１１】
再生水生成装置を停止することで、水質レベルの低い再生水が生成されるのを抑制することができる。【００１２】
好ましくは、制御装置は、透過濃度検出器からの測定値と再生水の水質レベルとを予め関連付けた参照テーブルを利用することで前記水質レベルを算出する。【００１３】
この場合、参照テーブルを予め作成することにより、再生水の水質レベルを容易に算出することができる。【００１４】
好ましくは、前記再生水利用装置は、貯留タンクに水道水を供給するための流路と、水垢防止剤を含む薬剤タンクとを、さらに備え、制御装置は、（１）前記貯留タンクに再生水生成装置から再生水が供給されるとき、前記薬剤タンク内の前記水垢防止剤を前記再生水生成装置に供給し、（２）前記貯留タンクに水道水が供給されたとき、前記薬剤タンク内の前記水垢防止剤を前記貯留タンクに供給する。【００１５】
この場合、水道水か再生水に拘わらず、再生水利用装置の貯留タンクに貯留される水には水垢防止剤が添加される。再生水を利用する処理装置に水垢防止剤を含む再生水が送液される。処理装置内での水垢の発生を防止することができる。特に、再生水利用装置から複数の処理装置に再生水を送液する場合、各処理装置に直接水垢防止剤を添加する必要がない。水垢防止剤の添加作業に伴う労力を小さくできる。【００１６】
好ましくは、前記再生水利用装置は、貯留タンクと連通する追加の貯留タンクをさらに備える。【００１７】
この場合、余剰の再生水を排出することなく追加の貯留タンクに蓄えることができる。追加の貯留タンクされた再生水を、処理装置の洗浄、処理装置の母液の交換時に使用することができる。余剰の再生水の排出を少なくすることができる。【００１８】
本発明の別の態様に係る廃液処理システムは、本発明の一態様の再生水利用装置と、前記再生水利用装置の上流に配置された再生水生成装置と、を備え、前記再生水生成装置は、減圧下で廃液を濃縮物と水蒸気とに分離する減圧蒸留器と、前記水蒸気を凝縮させて再生水とする冷却器と、前記再生水を蓄えるタンクと、を備える。【００１９】
本態様によれば、再生水生成装置により廃液から生成された再生水を、再生水利用装置で使用することで、再生水を有効に活用できる。【００２０】
本発明の別の態様に係る再生水生成装置は、減圧下で廃液を濃縮物と水蒸気に分離する減圧蒸留器と、前記水蒸気を凝縮させて再生水とする冷却器と、前記再生水を蓄えるタンクと、前記タンクと再生水利用装置とを連通する流路中に設置された透過濃度検出器と、前記透過濃度検出器からの測定値に基づき前記再生水の水質レベルを算出し、前記水質レベルに応じて、前記再生水の生成と、前記再生水利用装置への送液とを停止する制御装置と、を備える。【００２１】
本態様によれば、再生水の水質レベルを算出するので、再生水の再利用が可能か、下水道へ排出可能か、が判断できる。さらに、下水道へ排出できない程度まで再生水の水質レベルが低下したとき、再生水を再生水生成装置に返送することができ、水質レベルの低い再生水を廃液として処理する。廃液を再生水利用装置で処理することにより水質レベルの高い再生水として利用することもできる。【００２２】
再生水生成装置を停止することで、質レベルの低い再生水が生成されるのを抑制することができる。【００２３】
好ましくは、制御装置は、透過濃度検出器からの測定値と再生水の水質レベルとを予め関連付けた参照テーブルを利用することで前記水質レベルを算出する。【００２４】
この場合、参照テーブルを予め作成することにより、再生水の水質レベルを容易に判断することができる。【００２５】
本発明の別の態様に係る廃液処理システムは、本発明の別の態様に係る再生水生成装置と、前記再生水生成装置の下流に配置された再生水利用装置と、を備え、前記再生水利用装置は、再生水を貯留する貯留タンクと、前記貯留タンクから前記再生水を前記再生水生成装置に送り出す送水ポンプと、を備える。【００２６】
本態様によれば、再生水生成装置により廃液から生成された再生水を、再生水利用装置を使用することで、再生水を有効に利用できる。
【発明の効果】
【００２７】
本発明によれば、再生水の水質レベルを算出し、モニタリングすることで、再生水を可能な限り再利用することができる、
【図面の簡単な説明】
【００２８】
【図１】廃液リサイクルシステムの概略構成図。
【図２】別の廃液リサイクルシステムの概略構成図。
【発明を実施するための形態】
【００２９】
以下、添付図面に従って本発明の好ましい実施の形態について説明する。本発明は以下の好ましい実施の形態により説明されるが、本発明の範囲を逸脱することなく、多くの手法により変更を行うことができ、本実施の形態以外の他の実施の形態を利用することができる。したがって、本発明の範囲内における全ての変更が請求の範囲に含まれる。
【００３０】
〔第１の実施形態〕
以下、廃液を排出する製造プロセスとして、平版印刷版を作製する自動現像装置を処理装置の一例として説明する。
【００３１】
一般に、平版印刷版は、印刷過程でインキを受容する親油性の画像部と、湿し水を受容する親水性の非画像部とからなる。平版印刷は、水と印刷インキが互いに反発する性質を利用して、平版印刷版の親油性の画像部をインキ受容部、親水性の非画像部を湿し水受容部（インキ非受容部）として、平版印刷版の表面にインキの付着性の差異を生じさせ、画像部のみにインキを着肉させた後、紙などの被印刷体にインキを転写して印刷する方法である。
【００３２】
この平版印刷版を作製するため、親水性の支持体上に親油性の感光性樹脂層（画像記録層）を有する平版印刷版原版（ＰＳ版）が広く用いられている。近年、画像情報を、コンピュータを用いて電子的に処理、蓄積、出力する、デジタル化技術が広く普及してきている。そして、そのようなデジタル化技術に対応した新しい画像出力方式が種々実用されるようになってきた。その結果レーザ光のような指向性の高い光をデジタル化された画像情報に従って走査し、リスフィルムを介すことなく、直接印刷版を製造するコンピューター・トゥ・プレート（ＣＴＰ）技術が採用されている。
【００３３】
平版印刷版原版にレーザを当てて画像を焼き付け、画像記録層の画像部となる部分を残存させ、それ以外の不要な画像記録層を強アルカリ性現像液又は有機溶剤によって溶解除去し、親水性の支持体表面を露出させて非画像部を形成する方法により製版を行い、平版印刷版を得る。そして、自動現像装置から不要になった廃液が排出される。
【００３４】
図１は、廃液処理システムを含む廃液リサイクルシステムの全体構成を示す。廃液リサイクルシステム１は、再生水生成装置１００と、再生水利用装置２００と、自動現像装置３００とを含み、これらにより循環流路が形成される。再生水生成装置１００と再生水利用装置２００とから廃液処理システムが構成される。
【００３５】
自動現像装置３００は、現像槽３０２、水洗槽３０４、フィニッシャー槽３０６、乾燥機３０８を有する。例えば、帯状の印刷版が自動現像装置３００に搬送される。印刷版は現像槽３０２で現像処理され、現像処理された印刷版が水洗槽３０４で水洗いされ、水洗いされた印刷版はフィニッシャー槽３０６で版面保護用のガム液が塗布され、ガム液が塗布された印刷版が乾燥機３０８で乾燥される。現像槽３０２、水洗槽３０４、フィニッシャー槽３０６、及び乾燥機３０８の各々は、印刷版を搬送するための搬送ローラ（不図示）を備える。現像槽３０２は、さらにガイド、ブラシローラ等を有する。乾燥機３０８はファンを有する。
【００３６】
現像槽３０２と、水洗槽３０４と、フィニッシャー槽３０６とは配管Ｐ１０を介して給水タンク４０４と接続される。給水タンク４０４の水を現像槽３０２、水洗槽３０４、フィニッシャー槽３０６に供給するため、ポンプ４１８、４２０，４２２が設置される。フィニッシャー槽３０６では、給水タンク４０４からの水は、希釈水として利用されるのに加え、搬送ローラ（不図示）を洗浄するために使用される。
【００３７】
２台の給水タンク４０４のそれぞれに、配管Ｐ１８と接続するバルブ４１４と、バルブ４１４の開閉を制御するフロート４１６とが、設置される。バルブ４１４は、フロート４１６の位置に応じて、その開閉が制御される。給水タンク４０４内に水が充分に満たされていると、フロート４１６が液面に応じて上昇する。フロート４１６が高い位置にあるとき、バルブ４１４は閉じられる。一方、フロート４１６が低い位置にあるとき、バルブ４１４は開かれる。
【００３８】
現像槽３０２からオーバーフローした廃液は、送液装置４００により配管Ｐ１２を介して中間タンク４３０に送液される。
【００３９】
中間タンク４３０の廃液は、再生水生成装置１００に配管Ｐ１４を介して適宜供給される。再生水生成装置１００が中間タンク４３０から廃液を吸引する場合でも良い。再生水生成装置１００は、減圧蒸留器１０２と、冷却器１０４と、タンク１０６とを備える。減圧蒸留器１０２は、減圧蒸留方式により、中間タンク４３０からの廃液を濃縮物と水蒸気とに分離する。減圧蒸留器１０２の内圧は減圧されているため、廃液の沸点を例えば３０℃以下にできる。減圧蒸留器１０２で廃液が加熱され、廃液中の水分が水蒸気とされる。減圧蒸留器１０２内には濃縮物が残る。
【００４０】
減圧蒸留器１０２から水蒸気が冷却器１０４に送られる。水蒸気が冷却器１０４に凝縮され、再生水が生成される。再生水がタンク１０６により回収される。
【００４１】
減圧蒸留器１０２と冷却器１０４とについて、いくつかの方式を採用することができる。例えば、減圧蒸留器１０２と冷却器１０４とによりヒートポンプ回路を構成することができる。また、減圧蒸留器１０２内にヒーター等の加熱器を設けて、廃液中の水分を蒸発させることができる。冷却器１０４として、例えばプレート式熱交換器を使用し、水蒸気を凝縮させて、再生水を生成することができる。
【００４２】
再生水生成装置１００から再生水が再生水利用装置２００に配管Ｐ１６を介して適宜供給される。配管Ｐ１６が、再生水生成装置１００と再生水利用装置２００とを、つまり、タンク１０６と貯留タンク２０２とを連通する流路として機能する。再生水利用装置２００は、貯留タンク２０２と、透過濃度検出器２０４と、制御装置２０６と、送水ポンプ２０８とを主たる構成として備える。
【００４３】
再生水生成装置１００から送液された再生水は、貯留タンク２０２に流入する前に透過濃度検出器２０４により、透過濃度が測定される。透過濃度検出器２０４は、液体の濃度を、透過光を利用して測定する検出器である。透過濃度検出器２０４は、測定対象の再生水に光を照射する光源と、再生水を透過した光を受光する受光装置と、光源と受光装置との間に再生水を通過させるための流路と、を有する。透過濃度検出器２０４では、測定時のノイズを低減するため、流路内は常に再生水で満たされる。
【００４４】
測定された透過濃度のデータは制御装置２０６に送信される。制御装置２０６は、透過濃度検出器２０４からの測定値に基づいて再生水の水質レベルを算出する。必要に応じて水質レベルがディスプレイ等に表示される。これにより、作業員が容易に再生水の水質レベルを確認することができる。
【００４５】
再生水の水質レベルの算出をする場合、透過濃度検出器２０４からの測定値と再生水の水質レベルとを予め関連付けた参照テーブルを制御装置２０６に準備するのが好ましい。参照テーブルを利用することで容易に測定値から水質レベルを算出することができる。
【００４６】
さらに、算出された水質レベルに対応して、制御装置２０６は、再生水生成装置１００に停止信号を送信する。停止信号を受けた再生水生成装置１００は再生水を再生水利用装置２００に送液するのを停止し、再生水の生成を停止する。
【００４７】
送水ポンプ２０８は、制御装置２０６により駆動される。例えば、送水ポンプ２０８が１分周期で５秒から１０秒の間駆動される。各給水タンク４０４のバルブ４１４が閉じているとき、再生水は配管Ｐ２０を介して貯留タンク２０２に循環される。一方、いずれかの給水タンク４０４のバルブ４１４が開いているとき、送水ポンプ２０８により送液された再生水は液面の低下した給水タンク４０４に供給される。
【００４８】
透過濃度検出器２０４を利用した再生水利用装置２００の動作について説明する。
【００４９】
廃液が中間タンク４３０から再生水生成装置１００に送液されると、再生水生成装置１００が再生水を生成する。再生水が透過濃度検出器２０４を通過して貯留タンク２０２に送液される。
【００５０】
制御装置２０６は透過濃度検出器２０４の測定値に基づき、例えば１から９の９段階で水質レベルを表示する。水質レベル１は水質が最も高いことを示し、水質レベル９は水質が最も低いことを示す。次のように水質レベルと再生水の利用態様とが関連付けられる。水質レベル１〜７は自動現像装置３００で再利用でき、且つ、下水道に排出できるレベルであり、水質レベル８は自動現像装置３００で再利用でき、且つ、下水道に排出できないレベルであり、水質レベル９は自動現像装置３００で再利用できず、且つ、下水道に排出できないレベルである。
【００５１】
通常の状態では、再生水生成装置１００は透明の再生水を生成する。透過濃度検出器２０４は通過する再生水の透過濃度を測定する。このとき、制御装置２０６は、水質レベル１を表示する。再生水利用装置２００から各自動現像装置３００に再生水が送水ポンプ２０８により送液される。
【００５２】
再生水生成装置１００により再生水を生成中に、例えば、減圧蒸留器１０２に突沸が発生する場合がある。これにより、減圧蒸留器１０２から濃縮物の一部が冷却器１０４内の再生水に混入する。濃縮物が混入すると、再生水が例えば青色に着色される。その結果、着色した再生水が再生水利用装置２００に送液される。再生水の透過濃度が貯留タンク２０２に流入する直前に、透過濃度検出器２０４により測定される。制御装置２０６は測定値に基づいて水質レベルを表示する。
【００５３】
水質レベルが２〜７である場合、着色した再生水を自動現像装置３００に送液することができる。再生水は自動現像装置３００で使用され、廃液として排出される。自動現像装置３００から排出された廃液は中間タンク４３０を経由して再生水生成装置１００に送液される。廃液は再生水生成装置１００で蒸留され、再生水として再生水利用装置２００に送液される。これにより再生水を廃棄せずに有効に活用することができる。
【００５４】
なお、再生水生成装置１００を停止した状態であっても、再生水利用装置２００から再生水を自動現像装置３００に送液することができる。再生水生成装置１００を停止すると再生水が貯留タンク２０２に送液されないので、自動現像装置３００に送液できる再生水が不足する。この場合、流路である配管Ｐ２２を介して水道水が貯留タンク２０２に供給される。再生水利用装置２００から自動現像装置３００に水道水が送液される。再生水生成装置１００と再生水利用装置２００とを別々に稼動できるので、自動現像装置３００に必要な量の水を送液することができる。
【００５５】
水質レベルが２〜７の場合、上述に限定することなく、多くの態様を採ることができる。例えば、着色した再生水を自動現像装置３００に送液せず、下水道に排出することができる。自動現像装置３００に送液できる再生水がなくなるので、配管Ｐ２２介して水道水が貯留タンク２０２に送液される。水道水が自動現像装置３００に送液される。また、再生水生成装置１００を停止し、再生水生成装置１００の洗浄等を行うことができる。
【００５６】
着色した再生水については、（１）中間タンク４３０に戻して再資源として活用する、（２）廃液として回収タンク（不図示）に接続して産廃回収する、（３）そのまま自現機の給水として使う、等の各種対応が可能である。
【００５７】
水質レベルが８の場合、着色した再生水を自動現像装置３００に送液することができる。着色した再生水を利用することができる。このとき、再生水生成装置１００を停止し、再生水生成装置１００の洗浄等を行うことができる。
【００５８】
着色した再生水を自動現像装置３００に送液しない場合、着色した廃液を下水道に排出することはできない。そこで、着色した再生水を貯留タンク２０２から中間タンク４３０に送液し、着色した再生水を廃液として取り扱う。着色した再生水を廃液として、中間タンク４３０に送液し、着色した再生水を再生水生成装置１００により透明な再生水にすることができる。
【００５９】
水質レベルが９の場合、着色した再生水を自動現像装置３００に送液することができない。そこで、水質レベルが８と同様に、着色した再生水を貯留タンク２０２から中間タンク４３０に送液し、着色した再生水を廃液として取り扱うことができる。自動現像装置３００に送液できる再生水がなくなるので、配管Ｐ２２を介して水道水が貯留タンク２０２に送液される。水道水が自動現像装置３００に送液される。
【００６０】
再生水生成装置１００が着色した再生水を生成したとき、再生水の水質レベルを表示することで、自動現像装置３００への再生水の送液を止めず、また、再生水を廃棄せずに使用することが可能となる。
【００６１】
再生水利用装置２００は、水垢防止剤を含む薬剤タンク２１０を備える。薬剤タンク２１０は配管Ｐ２４を介して貯留タンク２０２、及びタンク１０６と連通される。配管Ｐ２４にはポンプ２１２と切り替えバルブ２１４とが設置される。ポンプ２１２と切り替えバルブ２１４とは制御装置２０６により制御される。再生水生成装置１００が稼動しているとき、切り替えバルブ２１４により薬剤タンク２１０とタンク１０６とが連通される。一定時間ごとにポンプ２１２が駆動され、薬剤タンク２１０から水垢防止剤がタンク１０６に供給される。水垢防止剤を含む再生水が再生水生成装置１００から再生水利用装置２００に送液される。水垢防止剤がタンク１０６に供給されるので、タンク１０６内、及び配管Ｐ１６内に水垢が発生するのを防止することができる。
【００６２】
再生水利用装置２００の貯留タンク２０２内の再生水が使用されて、再生水の水位が下がると、配管Ｐ２２を介して水道水が貯留タンク２０２に送液される。水道水が供給されると、切り替えバルブ２１４により薬剤タンク２１０と貯留タンク２０２とが連通される。ポンプ２１２が駆動され、水垢防止剤が貯留タンク２０２に供給される。
【００６３】
貯留タンク２０２内に蓄えられた水には、再生水、及び水道水に拘わりなく水垢防止剤が含まれる。水垢防止剤を含む水が自動現像装置３００に供給されるので、自動現像装置３００内での水垢の発生を防止することができる。これにより個々の自動現像装置３００に直接水垢防止剤を供給する必要がない。水垢防止剤の添加作業に伴う労力を小さくできる。
【００６４】
貯留タンク２０２は、再生水の低い液面を検知する第１フロートスイッチ２３０と、高い液面を検知する第２フロートスイッチ２３２と、さらに高い液面を検知する第３フロートスイッチ２３４と、をさらに備える。第１フロートスイッチ２３０は水が１０リットルのときの液面を検知する。第２フロートスイッチ２３２は水が３０リットルのときの液面を検知する。第３フロートスイッチ２３４は水が６０リットルのときの液面を検知する。
【００６５】
第１フロートスイッチ２３０について、液面が１０リットルの位置を超えているとき、第１フロートスイッチ２３０はＯＮとなり、液面が１０リットルの位置を下回るとき、第１フロートスイッチ２３０はＯＦＦとなる。第２フロートスイッチ２３２について、液面が３０リットルの位置を超えているとき、第２フロートスイッチ２３２はＯＮとなり、液面が３０リットルの位置を下回るとき、第２フロートスイッチ２３２はＯＦＦとなる。
【００６６】
貯留タンク２０２から水（再生水、水道水含む）が給水タンク４０４に供給されると、貯留タンク２０２内の水の液面が低下する。液面が１０リットルの位置を下回ると第１フロートスイッチ２３０はＯＦＦとなる。水道水が貯留タンク２０２に供給される。液面が１０リットルの位置を超える第１フロートスイッチ２３０はＯＮとなる。さらに、水道水が供給されると液面が上昇する。液面が３０リットルの位置に達すると第２フロートスイッチ２３２がＯＦＦからＯＮに切り替わる。これにより、水道水は貯留タンク２０２に供給されない。
【００６７】
再生水生成装置１００から再生水が貯留タンク２０２に供給され、液面が３０リットルの位置を越え、さらに６０リットルに達すると、第３フロートスイッチ２３４がＯＮとなり、ポンプ（不図示）を駆動する。水が、オーバーフロー用の配管Ｐ２６を介して貯留タンク２０２から排出される。余剰の再生水は、状況に応じて、（１）中間タンク４３０、（２）余剰水タンク（不図示）、（３）下水配管（不図示）（４）産廃回収配管(不図示)等の循環流路外に排出される。
【００６８】
余剰の水が生じる場合、追加の貯留タンク（不図示）を備えることが好ましい。追加の貯留タンクは、貯留タンク２０２と連通される。追加の貯留タンクを設けることで貯留タンク２０２の容量を大きくすることができる。追加の貯留タンクは、再生水利用装置２００の一部を構成する。循環流路内に追加の貯留タンクは設置される。
【００６９】
廃液リサイクルシステム１は、再生水生成装置１００と、再生水利用装置２００と、自動現像装置３００とを含み、これらにより閉じた循環流路が形成される。通常の状態ではこの循環流路で必要とされる再生水はほぼ一定であり、余剰の再生水の量は少ない。
【００７０】
しかしながら、自動現像装置３００の母液の交換や洗浄には水道水が使用される。つまり、閉じた循環流路内に外部から水が供給されることになり、余剰の再生水の量が多くなる。余剰の再生水を廃棄することもできる。一方、この余剰の再生水を追加の貯留タンクに蓄えることで、自動現像装置３００の処理液の交換や洗浄に、水道水ではなく、再生水を利用することができる。余剰の再生水を排出しないので環境に対して負荷を小さくすることできる。
【００７１】
〔第２の実施形態〕
図２は、廃液処理システムを含む廃液リサイクルシステムの別の全体構成を示す。なお、図１の廃液リサイクルシステムと同様の構成には同様の符号を付して説明を省略する場合がある。第１の実施形態と異なり、第２の実施形態では透過濃度検出器が再生水生成装置１００に設置される、再生水生成装置１００は、減圧蒸留器１０２と、冷却器１０４と、タンク１０６と、透過濃度検出器１０８と、制御装置１１０と、を備える。配管Ｐ１６が、再生水生成装置１００と再生水利用装置２００とを、つまり、タンク１０６と貯留タンク２０２とを連通する流路として機能する。
【００７２】
再生水生成装置１００から送液された再生水は、タンク１０６から流出した後に透過濃度検出器１０８により、透過濃度が測定される。測定された透過濃度のデータは制御装置１１０に送信される。制御装置１１０は、透過濃度検出器１０８からの測定値に基づいて再生水の水質レベルを算出する。必要に応じて水質レベルがディスプレイ等に表示される。これにより、作業員が容易に再生水の水質レベルを確認することができる。
【００７３】
算出された再生水の水質レベルに対応して、制御装置１１０は、再生水を再生水利用装置２００に送液するのを停止し、再生水の生成を停止する。
【００７４】
再生水生成装置１００が着色した再生水を生成したとき、再生水の水質レベルを表示することで、自動現像装置３００への再生水の送液を止めずに、また、再生水を廃棄せずに再使用することが可能となる。
【００７５】
第２の実施形態においても、第１の実施形態と同様の効果を奏することができる。
【符号の説明】
【００７６】
１…廃液リサイクルシステム、１００…再生水生成装置、１０２…減圧蒸留器、１０４…冷却器、１０６…タンク、１０８…透過濃度検出器、１１０…制御装置、２００…再生水利用装置、２０２…貯留タンク、２０４…透過濃度検出器、２０６…制御装置、２０８…送水ポンプ、２１０…薬剤タンク、２１２…ポンプ、２１４…切り替えバルブ、３００…自動現像装置、４００…送液装置、４３０…中間タンク
【図１】
0005559942.tif 000002
【図２】
0005559942.tif 000003